(57)【要約】【構成】ＰＣ１８によって並列的に実行される２つの検査スレッドはそれぞれ、ディジタル放送受信機１４ａおよび１４ｂに注目する。各々の検査スレッドは選局命令処理，選局待機処理，選局検査処理，復調命令処理，復調待機処理および復調検査処理を実行する。選局命令処理は、注目するディジタル放送受信機に選局を命令する。選局待機処理は、選局命令処理による命令の発行から指定期間が経過するまで待機する。選局検査処理は、選局待機処理が完了した後に注目するディジタル放送受信機の選局状況を検査する。復調命令処理は、選局検査処理に関連して、注目するディジタル放送受信機に復調を命令する。復調待機処理は、復調命令処理による命令の発行から指定期間が経過するまで待機する。復調検査処理は、復調待機処理が完了した後に注目するディジタル放送受信機の復調状況を検査する。【効果】検査効率の向上が図られる。【選択図】図１
2008278168.tif 000002
【特許請求の範囲】
【請求項１】
複数の受信機をそれぞれ注目する複数の検査スレッドを並列的に実行する検査装置であって、
前記複数の検査スレッドの各々は、
注目受信機に選局を命令する第１命令処理、
前記第１命令処理による命令の発行から第１指定期間が経過するまで待機する第１待機処理、
前記第１待機処理が完了した後に前記注目受信機の選局状況を検査する第１検査処理、
前記第１検査処理に関連して前記注目受信機に復調を命令する第２命令処理、
前記第２命令処理による命令の発行から第２指定期間が経過するまで待機する第２待機処理、および
前記第２待機処理が完了した後に前記注目受信機の復調状況を検査する第２検査処理を備える、検査装置。
【請求項２】
前記複数の受信機の各々は放送信号を復調する復調手段を含み、
前記第２検査処理は、前記復調手段から出力される復調データの有無を検査する出力検査処理、および前記復調手段から出力される復調データの品質を検査する品質検査処理を含む、請求項１記載の検査装置。
【請求項３】
前記第２命令処理は前記第１検査処理の結果が良好であるとき前記復調を命令する、請求項１または２記載の検査装置。
【請求項４】
テスト用の高周波信号を前記複数の受信機の各々に入力する入力手段をさらに備える、請求項１ないし３のいずれかに記載の検査装置。
【発明の詳細な説明】
【技術分野】
【０００１】
この発明は、検査装置に関し、特にたとえば複数の受信機を同時に検査する、検査装置に関する。
【背景技術】
【０００２】
この種の装置の一例が、特許文献１に開示されている。この背景技術によれば、無線機器の機能を測定するために必要なコンピュータから無線機器への制御とコンピュータから計測器への制御とが、コンピュータの並列処理機能を利用して並列的に実行される。
【特許文献１】特開２００１−３２６６１２号公報［H04B 17/00, G01R 31/00］
【発明の開示】
【発明が解決しようとする課題】
【０００３】
しかし、背景技術は、複数の無線機器の機能を同時に測定することを想定しておらず、それゆえに複数の無線機器の効率的な検査について何らの開示も示唆もしていない。
【０００４】
それゆえに、この発明の主たる目的は、複数の受信機を効率的に検査することができる、検査装置を提供することである。
【課題を解決するための手段】
【０００５】
この発明に従う受信機(10：実施例で相当する参照符号。以下同じ)は、複数の受信機(14a,14b,14c)をそれぞれ注目する複数の検査スレッドを並列的に実行する検査装置(10)であって、複数の検査スレッドの各々は、注目受信機に選局を命令する第１命令処理(S23)、第１命令処理による命令の発行から第１指定期間が経過するまで待機する第１待機処理(S27)、第１待機処理が完了した後に注目受信機の選局状況を検査する第１検査処理(S31)、第１検査処理に関連して注目受信機に復調を命令する第２命令処理(S35)、第２命令処理による命令の発行から第２指定期間が経過するまで待機する第２待機処理(S39)、および第２待機処理が完了した後に注目受信機の復調状況を検査する第２検査処理(S43, S47)を備える。
【０００６】
並列的に実行される複数の検査スレッドはそれぞれ複数の受信機に注目し、各々の検査スレッドは第１命令処理，第１待機処理，第１検査処理，第２命令処理，第２待機処理および第２検査処理を実行する。第１命令処理は、注目受信機に選局を命令する。第１待機処理は、第１命令処理による命令の発行から第１指定期間が経過するまで待機する。第１検査処理は、第１待機処理が完了した後に注目受信機の選局状況を検査する。第２命令処理は、第１検査処理に関連して注目受信機に復調を命令する。第２待機処理は、第２命令処理による命令の発行から第２指定期間が経過するまで待機する。第２検査処理は、第２待機処理が完了した後に注目受信機の復調状況を検査する。
【０００７】
注目受信機が選局命令を受けてから選局を完了するまでには、相応の時間がかかる。同様に、注目受信機が復調命令を受けてから復調データを出力するまでにも、相応の時間がかかる。そこで、この発明では、第１指定期間の第１待機処理および第２指定期間の待機処理を実行するようにしている。第１待機処理および第２待機処理の実行によって、他の検査スレッドが処理を実行する余地が確保され、これによって検査効率の向上が図られる。
【０００８】
好ましくは、複数の受信機の各々は放送信号を復調する復調手段(143)を含む。また、第２検査処理は、復調手段から出力される復調データの有無を検査する出力検査処理(S43)、および復調手段から出力される復調データの品質を検査する品質検査処理(S47)を含む。さらに好ましくは、第２命令処理は第１検査処理の結果が良好であるとき復調を命令する。好ましくは、テスト用の高周波信号が、複数の受信機の各々に入力手段によって入力される。
【発明の効果】
【０００９】
この発明によれば、第１待機処理および第２待機処理の実行によって他の検査スレッドが処理を実行する余地を確保するようにしたため、検査効率を向上させることができる。
【００１０】
この発明の上述の目的，その他の目的，特徴および利点は、図面を参照して行う以下の実施例の詳細な説明から一層明らかとなろう。
【発明を実施するための最良の形態】
【００１１】
図１を参照して、この実施例の検査装置１０は、伝送データに変調処理を施して生成したテスト用の高周波信号を出力するＳＧ(Signal Generator)１２を含む。伝送データとしては擬似雑音系列（Pseudo Noise系列）が使用され、伝送データの変調方式としてはＶＳＢ，６４ＱＡＭ，ＯＦＤＭなどのディジタルテレビ放送方式が採用される。ＳＧ１２から出力された高周波信号は、検査用治具１６ａおよび１６ｂ上にそれぞれ載置されたディジタル放送受信機１４ａおよび１４ｂの各々に入力される。
【００１２】
ディジタル放送受信機１４ａおよび１４ｂの各々は、図２に示すように構成される。フィルタ１４１は、ＳＧ１２から与えられた高周波信号に含まれる不要周波数や妨害波を抑圧し、抑圧後の高周波信号を同調回路１４２に与える。フィルタ１４１からの高周波信号は、同調回路１４２の同調周波数が伝送データの変調周波数に合わせられたとき、中間周波数信号に変換される。変換された中間周波数信号は、ディジタル復調器１４３によってＶＳＢ，６４ＱＡＭ，ＯＦＤＭなどの復調処理を施される。
【００１３】
ＰＣ１８は、Ｉ２ＣバスＢ１によってディジタル放送受信機１４ａと接続され、Ｉ２ＣバスＢ２によってディジタル放送受信機１４ｂと接続される。命令ないし処理結果は、Ｉ２ＣバスＢ１またはＢ２を介してやり取りされる。ＰＣ１８は、ディジタル放送受信機１４ａに割り当てられる検査スレッド１とディジタル放送受信機１４ｂに割り当てられる検査スレッド２とを並列的に実行する。
【００１４】
図３（Ａ）および図３（Ｂ）を参照して、ディジタル放送受信機１４ａおよび１４ｂの検査項目としては、選局状況（選局に成功したか），復調状況（復調データが出力されたか）および復調品質（復調データの品質は良好か）が想定される。ただし、選局命令を発行してから同調回路１４２が選局が完了するまでにはタイムラグがあり、復調命令を発行してからディジタル復調器１４３が復調データを出力するまでにもタイムラグがある。
【００１５】
そこで、この実施例では、選局命令の発行の後に１００ミリ秒の待機処理（スリープ処理）が実行され、続く２００ミリ秒の期間に選局状況の読み取り処理が実行される。さらに、復調命令の発行の後に１５０ミリ秒の待機処理（スリープ処理）が実行され、続く１５０ミリ秒の期間に復調状況の読取処理が実行される。さらに、復調データが出力されれば、この復調データの品質の検査処理が実行される。このような待機処理を検査スレッド１および２の各々に挿入することで、検査スレッド１および２の効率的な並列処理が可能となる。
【００１６】
ＰＣ１６は、図４に示すメインスレッド（メインタスク）と図５〜図６に示す検査スレッド（検査タスク）とを、並列的に実行する。これらのスレッドないしタスクに対応する制御プログラムは、図示しないハードディスクに記憶される。なお、以下の説明では、便宜上、ディジタル放送受信機１４ａおよび１４ｂをそれぞれディジタル放送受信機１および２と定義する。
【００１７】
図４を参照して、ステップＳ１ではテスト用の高周波信号の出力をＳＧ１２に命令し、ステップＳ３では変数ｎに“１”を設定する。続いて、検査スレッドｎをステップＳ５で作成し、作成された検査スレッドｎをステップＳ７で起動する。ステップＳ５および７の処理は変数ｎが“２”を上回るまで繰り返される。この結果、検査スレッド１および２がほぼ同時に起動し、ディジタル放送受信機１および２が検査スレッド１および２によってそれぞれ注目される。ステップＳ１１では全ての検査スレッドの処理が終了したか否かを判別し、ＹＥＳであればステップＳ１３で検査結果を図示しないモニタ画面に表示する。メインスレッドは、表示処理が完了した後に終了する。
【００１８】
図５を参照して、ステップＳ２１ではディジタル放送受信機ｎを初期化し、ステップＳ２３ではディジタル放送受信機ｎの同調回路１４１に選局（伝送データの変調周波数への同調）を命令する。ステップＳ２５ではタイマＴｎのリセット＆スタートを実行し、ステップＳ２７では１００ミリ秒待機する。ステップＳ２９では、タイマＴｎの測定値が２００ミリ秒を超えたか否かを判別し、ＹＥＳであればステップＳ５３で検査結果を“ＮＧ”とする一方、ＮＯであればステップＳ３１で同調回路１４２の選局状況を読み取る（検査する）。選局に成功していなければ（選局未完了であれば）、ステップＳ３３でＮＯと判断してステップＳ２９に戻り、選局に成功していれば（選局完了であれば）、ステップＳ３３でＹＥＳと判断してステップＳ３５に進む。
【００１９】
ステップＳ３５ではディジタル放送受信機ｎのディジタル復調器１４３に復調を命令し、ステップＳ３７ではタイマＴｎのリセット＆スタートを実行する。ステップＳ３９では１５０ミリ秒待機し、ステップＳ４１ではタイマＴｎの測定値が３００ミリ秒を超えたか否かを判別する。ここでＹＥＳであればステップＳ５３に進む一方、ＮＯであればステップＳ４３で復調状況を読み取る（検査する）。ステップＳ４３では、具体的には復調データの出力の有無に注目する。復調データがディジタル復調器１４３から出力されない間は、ステップＳ４５でＮＯと判断し、ステップＳ４１に戻る。復調データがディジタル復調器１４３から出力されると、ステップＳ４５でＹＥＳと判断してステップＳ４７に進む。
【００２０】
ステップＳ４７では出力された復調データの品質を検査し、ステップＳ４９では検査結果が良好であるか否かを判別する。品質が良好であればステップＳ５１に進み、検査結果を“ＯＫ”とする。品質が不良であればステップＳ５３に進む。検査スレッドｎは、ステップＳ５１またはＳ５３の処理の後に終了する。
【００２１】
以上の説明から分かるように、並列的に実行される検査スレッド１および２はそれぞれディジタル放送受信機１および２に注目し、各々の検査スレッドは選局命令処理(S23)，選局待機処理(S27)，選局検査処理(S31)，復調命令処理(S35)，復調待機処理(S39)および復調検査処理(S43, S47)を実行する。選局命令処理は、注目するディジタル放送受信機に選局を命令する。選局待機処理は、選局命令処理による命令の発行から指定期間(100msec)が経過するまで待機する。選局検査処理は、選局待機処理が完了した後に注目するディジタル放送受信機の選局状況を検査する。復調命令処理は、選局検査処理に関連して、注目するディジタル放送受信機に復調を命令する。復調待機処理は、復調命令処理による命令の発行から指定期間(150msec)が経過するまで待機する。復調検査処理は、復調待機処理が完了した後に注目するディジタル放送受信機の復調状況を検査する。
【００２２】
注目するディジタル放送受信機が選局命令を受けてから選局を完了するまでには、相応の時間がかかる。同様に、注目するディジタル放送受信機が復調命令を受けてから復調データを出力するまでにも、相応の時間がかかる。そこで、この発明では、選局待機処理および復調待機処理を実行するようにしている。選局待機処理および復調待機処理の実行によって、他の検査スレッドが処理を実行する余地が確保され、これによって検査効率の向上が図られる。
【００２３】
なお、この実施例では、２つのディジタル放送受信機を同時に検査するようにしているが、同時に検査するディジタル放送受信機の台数は３台以上でもよい。
【図面の簡単な説明】
【００２４】
【図１】この発明の一実施例の構成を示すブロック図である。
【図２】図１実施例に適用されるディジタル放送受信機の構成の一例を示すブロック図である。
【図３】（Ａ）は検査スレッド１の処理動作の一例を示す図解図であり、（Ｂ）は検査スレッド２の処理動作の一例を示す図解図である。
【図４】図１実施例に適用されるＣＰＵの動作の一部を示すフロー図である。
【図５】図１実施例に適用されるＣＰＵの動作の他の一部を示すフロー図である。
【図６】図１実施例に適用されるＣＰＵの動作のその他の一部を示すフロー図である。
【符号の説明】
【００２５】
１０  …検査装置
１２  …ＳＧ
１４ａ〜１４ｃ  …ディジタル放送受信機
１６ａ〜１６ｂ  …検査用治具
１８  …ＰＣ
【図１】
2008278168.tif 000003
【図２】
2008278168.tif 000004
【図３】
2008278168.tif 000005
【図４】
2008278168.tif 000006
【図５】
2008278168.tif 000007
【図６】
2008278168.tif 000008